(57)【要約】【課題】本発明は電子承認方法及び装置に関し、誰が捺印したかが分かり、電子承認による不正行為を未然に防ぐことができる電子承認方法及び装置を提供することを目的としている。【解決手段】印影情報を登録する印影情報登録手段１と、生体情報を読み込む生体情報読込手段３と、電子文書に捺印する捺印処理手段４と、承認文書を登録する登録手段５と、登録電子承認文書を表示する表示手段７と、操作情報を入力する操作手段１０と、全体の動作を制御する制御手段９と、から構成される。【選択図】      図１
2005062931.tif 000002
【特許請求の範囲】
【請求項１】
電子文書に承認を行なう電子承認方法として、印影情報と生体情報とを用いて捺印することを特徴とする電子承認方法。
【請求項２】
電子文書に承認を行なう電子承認方法として、印影情報と生体情報と日付情報とを用いて捺印することを特徴とする電子承認方法。
【請求項３】
電子文書に承認を行なう電子承認方法として、生体情報を読み込むことにより初めて捺印が行なえることを特徴とする電子承認方法。
【請求項４】
前記印影情報と生体情報とを重ね合わせて電子文書に捺印することを特徴とする請求項１又は３記載の電子承認方法。
【請求項５】
前記印影情報と生体情報とを電子文書の別の箇所にそれぞれ捺印することを特徴とする請求項１又は３記載の電子承認方法。
【請求項６】
前記電子文書には印影情報のみが捺印され、生体情報は画面表示されることを特徴とする請求項１又は３記載の電子承認方法。
【請求項７】
前記電子文書には印影情報のみが捺印され、生体情報は電子文書の所定箇所をマウスで指定すると画面表示されることを特徴とする請求項１又は３記載の電子承認方法。
【請求項８】
前記印影情報と生体情報と日付情報とを重ね合わせて電子文書に捺印することを特徴とする請求項２記載の電子承認方法。
【請求項９】
前記生体情報と捺印情報と日付情報とを電子文書の別々の箇所に捺印することを特徴とする請求項２記載の電子承認方法。
【請求項１０】
前記電子文書には印影情報のみが捺印され、生体情報と日付情報とは画面表示されることを特徴とする請求項２記載の電子承認方法。
【請求項１１】
前記電子文書には印影情報のみが捺印され、生体情報と日付情報とは電子文書の所定箇所をマウスで指定すると画面表示されることを特徴とする請求項２記載の電子承認方法。
【請求項１２】
前記印影情報は、印鑑イメージ又は自筆したサインであることを特徴とする請求項１乃至１１の何れかに記載の電子承認方法。
【請求項１３】
前記生体情報としてカメラで撮った画像又は指紋を用いることを特徴とする請求項１乃至１１の何れかに記載の電子承認方法。
【請求項１４】
前記承認し登録した電子文書は、読み出して表示すると、印影情報が捺印された電子文書の他に、生体情報も同時に表示されることを特徴とする請求項６又は１０記載の電子承認方法。
【請求項１５】
前記承認し登録した電子文書は、読み出して表示すると、印影情報が捺印された電子文書のみが表示され、生体情報は電子文書の所定箇所をマウスで指定すると画面に表示されることを特徴とする請求項７又は１１記載の電子承認方法。
【請求項１６】
前記承認電子文書を印刷すると、印影情報を含む電子文書のみが印刷され、生体情報は印刷されないことを特徴とする請求項６又は７又は１０又は１１記載の電子承認方法。
【請求項１７】
印影情報を登録する印影情報登録手段と、
生体情報を読み込む生体情報読込手段と、
電子文書に捺印する捺印処理手段と、
承認文書を登録する登録手段と、
登録電子承認文書を表示する表示手段と、
操作情報を入力する操作手段と、
全体の動作を制御する制御手段と、
からなることを特徴とする電子承認装置。
【請求項１８】
印影情報を登録する印影情報登録手段と、
生体情報を読み込む生体情報読込手段と、
日付情報を読み込む日付情報読取手段と、
電子文書に捺印する捺印処理手段と、
承認文書を登録する登録手段と、
登録電子承認文書を表示する表示手段と、
操作情報を入力する操作手段と、
電子承認文書を印刷する印刷手段と、
全体の動作を制御する制御手段と、
からなることを特徴とする電子承認装置。
【請求項１９】
前記生体情報読込手段は、ディジタルカメラで所定時間内にシャッタを押さないと生体情報が読み込めないことを特徴とする請求項１７又は１８記載の電子承認装置。
【請求項２０】
前記生体情報読込手段は、ディジタルカメラでシャッタを右手と左手で所定時間内に押さないと生体情報が読み込めないことを特徴とする請求項１７又は１８記載の電子承認装置。
【請求項２１】
請求項１７記載の捺印処理手段は、請求項４乃至７の何れかの方法で電子文書に捺印することを特徴とする電子承認装置。
【請求項２２】
請求項１７又は１８記載の表示手段は、請求項１４又は１５記載の方法で表示することを特徴とする電子承認装置。
【請求項２３】
請求項１７又は１８記載の印刷手段は、請求項１６記載の方法で印刷することを特徴とする電子承認装置。
【請求項２４】
請求項１８記載の捺印処理手段は、請求項８乃至１１記載の何れかの方法で電子文書に捺印することを特徴とする電子承認装置。
【請求項２５】
印影情報及び生体情報を登録する登録手段と、
生体情報を読み込む生体情報読込手段と、
捺印の承認許可者を判断する捺印許可手段と、
電子文書に捺印する捺印処理手段と、
承認文書を登録する登録手段と、
電子承認文書を表示する表示手段と、
操作情報を入力する操作手段と、
全体の動作を制御する制御手段と、
からなることを特徴とする電子承認装置。
【請求項２６】
印影情報及び生体情報を登録する登録手段と、
生体情報を読み込む生体情報読込手段と、
日付情報を読み込む日付情報読取手段と、
捺印の承認許可者を判断する捺印許可手段と、
電子文書に捺印する捺印処理手段と、
承認文書を登録する登録手段と、
電子承認文書を表示する表示手段と、
操作情報を入力する操作手段と、
全体の動作を制御する制御手段と、
からなることを特徴とする電子承認装置。
【発明の詳細な説明】
【０００１】
【発明の属する技術分野】
本発明は電子承認方法及び装置に関し、更に詳しくは電子文書に捺印する時、直前の生体情報を得ないと捺印できない仕組みにし、捺印された電子文書を表示すると捺印した人の生体情報を一緒に表示するようにした電子承認方法及び装置に関する。
【０００２】
【従来の技術】
近年、電子政府構想が進み、役所保管の書類を電子化することが計画されている。しかしながら、現在書類に印鑑を押すようなケースでは、プリンタで紙を打ち出し、印鑑捺印を押しているのが実情である。これでは１００％書類の電子化はできない。これに対して、電子文書に印鑑イメージで電子承認する電子承認装置が提案されている。
【０００３】
従来の技術としては、生体情報検出装置からの生体情報と、メモリカードに記憶された生体データとを照合し、メモリカードに記憶されている印影データを読み出して電子文書に捺印する技術が知られている（例えば特許文献１参照）。また、ユーザ端末から認証サーバへアクセスする時に指紋照合によるログインを行ない、指紋照合実行後にユーザ端末から認証サーバに印鑑登録依頼を行ない、個人本人と確認された場合に、印鑑台帳に印影情報を登録する技術がある（例えば特許文献２参照）。
【０００４】
【特許文献１】
特開２００２−９２５４０号公報（第３頁、第４頁、図１）
【特許文献２】
特開２００２−１９７０６６号公報（第３、第４頁、図１）
【０００５】
【発明が解決しようとする課題】
前述した従来の技術では、生体情報を装置の利用許可の目的で使用している。そのため、電子印鑑を使用して承認した場合、印鑑イメージの捺印のために誰が捺印したのか分からないという問題がある。また、なりすまし等の問題に対しては、電子承認装置を利用するのに本人認証やセキュリティを設けているが、セキュリティ、印影情報とが盗まれると悪用されるおそれがありセキュリティが十分ではないという問題がある。
【０００６】
本発明はこのような課題に鑑みてなされたものであって、誰が捺印したかが分かり、電子承認による不正行為を未然に防ぐことができる電子承認方法及び装置を提供することを目的としている。
【０００７】
【課題を解決するための手段】
（１）請求項１記載の発明は電子文書に承認を行なう電子承認方法として、印影情報と生体情報とを用いて捺印することを特徴とする。
【０００８】
このように構成すれば、印影情報と生体情報とを用いて捺印承認を行なうので、誰が承認したかが分かり、電子承認のセキュリティを高めることができる。
（２）請求項２記載の発明は、電子文書に承認を行なう電子承認方法として、印影情報と生体情報と日付情報とを用いて捺印することを特徴とする。
【０００９】
このように構成すれば、印影情報と生体情報と日付情報とを用いて電子承認を行なうため、誰がいつ承認したかが分かり、電子承認のセキュリティを高めることができる。
（３）請求項３記載の発明は、電子文書に承認を行なう電子承認方法として、生体情報を読み込むことにより初めて捺印が行なえることを特徴とする。
【００１０】
このように構成すれば、生体情報を読み込まなければ捺印が行えないので、他人の印影を使うことができず、セキュリティを高めることができる。
（４）請求項４記載の発明は、前記印影情報と生体情報とを重ね合わせて電子文書に捺印することを特徴とする。
【００１１】
このように構成すれば、印影情報と生体情報とを重ね合わせて電子文書に捺印をすることができるので、唯一の捺印となり、かつ誰が承認したかが分かり、セキュリティを高めることができる。
（５）請求項５記載の発明は、前記印影情報と生体情報とを電子文書の別の箇所にそれぞれ捺印することを特徴とする。
【００１２】
このように構成すれば、印影情報と生体情報とを電子文書の別の箇所にそれぞれ捺印することができるので、セキュリティを高めることができる。
（６）請求項６記載の発明は、前記電子文書には印影情報のみが捺印され、生体情報は画面表示されることを特徴とする。
【００１３】
このように構成すれば、印影情報のみを捺印することができ、かつ誰が捺印したかが分かる。
（７）請求項７記載の発明は、前記電子文書には印影情報のみが捺印され、生体情報は電子文書の所定箇所をマウスで指定すると画面表示されることを特徴とする。
【００１４】
このように構成すれば、印影情報のみを捺印することができ、かつ誰が捺印したかが分かる。
（８）請求項８記載の発明は、前記印影情報と生体情報と日付情報とを重ね合わせて電子文書に捺印することを特徴とする。
【００１５】
このように構成すれば、印影情報と生体情報と日付情報とを重ね合わせて捺印することができるため、誰がいつ捺印したかが分かる。
（９）請求項９記載の発明は、前記印影情報と生体情報と日付情報とを電子文書の別々の箇所に捺印することを特徴とする。
【００１６】
このように構成すれば、印影情報と生体情報と日付情報とを電子文書の別々の場所に捺印することができるため、誰がいつ捺印したかが分かる。
（１０）請求項１０記載の発明は、前記電子文書には印影情報のみが捺印され、生体情報と日付情報とは画面表示されることを特徴とする。
【００１７】
このように構成すれば、印影情報のみを捺印することができるため、誰がいつ捺印したかが分かる。
（１１）請求項１１記載の発明は、前記電子文書には印影情報のみが捺印され、生体情報と日付情報とは電子文書の所定箇所をマウスで指定すると画面表示されることを特徴とする。
【００１８】
このように構成すれば、印影情報のみを捺印することができるため、誰がいつ捺印したかが分かる。
（１２）請求項１２記載の発明は、前記印影情報は、印鑑イメージ又は自筆したサインであることを特徴とする。
【００１９】
このように構成すれば、印影情報として印鑑イメージ又は自筆したサインを用いることができる。特に、自筆したサインは他人がまねできないので、セキュリティが確保される。
（１３）請求項１３記載の発明は、前記生体情報としてカメラで撮った画像又は指紋を用いることを特徴とする。
【００２０】
このように構成すれば、生体情報として画像又は指紋を用いることができる。
（１４）請求項１４記載の発明は、前記承認し登録した電子文書は、読み出して表示すると、印影情報が捺印された電子文書の他に、生体情報も同時に表示されることを特徴とする。
【００２１】
このように構成すれば、印影情報が捺印された電子文書に生体情報も併せて表示されるので、誰が捺印したかを認識することができる。
（１５）請求項１５記載の発明は、前記承認し登録した電子文書は、読み出して表示すると、印影情報が捺印された電子文書のみが表示され、生体情報は電子文書の所定箇所をマウスで指定すると画面に表示されることを特徴とする。
【００２２】
このように構成すれば、印影情報が捺印された電子文書のみが表示され、生体情報は必要に応じて表示させることができる。
（１６）請求項１６記載の発明は、前記承認電子文書を印刷すると、印影情報を含む電子文書のみが印刷され、生体情報は印刷されないことを特徴とする。
【００２３】
このように構成すれば、印影情報のみを含む電子文書を印刷することができる。
（１７）請求項１７記載の発明は、以下の通りである。図１は本発明の原理ブロック図である。図において、１は印影情報を登録する印影情報登録手段、２は印影情報が登録されている印影情報データベースである。３は生体情報を読み込む生体情報読込手段、４は電子文書に捺印する捺印処理手段、５は承認文書を登録する登録手段、６は登録文書が登録されている登録文書データベースである。７は登録電子承認文書を表示する表示手段、８は電子承認文書を印刷する印刷手段、９は全体の動作を制御する制御手段、１０は装置に各種のコマンドを与える操作手段である。
【００２４】
このように構成すれば、生体情報を読み込んだ後に、初めて捺印ができるようになり、セキュリティを高めることができる。
（１８）請求項１８記載の発明は、印影情報を登録する印影情報登録手段と、生体情報を読み込む生体情報読込手段と、日付情報を読み込む日付情報読取手段と、電子文書に捺印する捺印処理手段と、承認文書を登録する登録手段と、登録電子承認文書を表示する表示手段と、電子承認文書を印刷する印刷手段と、全体の動作を制御する制御手段と、からなることを特徴とする。
【００２５】
このように構成すれば、生体情報を読み込んだ後に、初めて印影情報と日付情報とを合わせた捺印ができるようになり、セキュリティを高めることができる。
（１９）請求項１９記載の発明は、前記生体情報読込手段は、ディジタルカメラで所定時間内にシャッタを押さないと生体情報が読み込めないことを特徴とする。
【００２６】
このように構成すれば、所定の条件の下に生体情報を読み込むことができ、承認のなりすましを防止することができる。
（２０）請求項２０記載の発明は、前記生体情報読込手段は、ディジタルカメラでシャッタを右手と左手で所定時間内に押さないと生体情報が読み込めないことを特徴とする。
【００２７】
このように構成すれば、所定の条件の下に生体情報を読み込むことができ、承認のなりすましを防止することができる。
（２１）請求項２１記載の発明は、請求項１７記載の捺印処理手段は、請求項４乃至７の何れかの方法で電子文書に捺印することを特徴とする。
【００２８】
このように構成すれば、印影情報と生体情報とを重ねて、或いは別々に或いは印影情報のみを捺印することができる。
（２２）請求項２２記載の発明は、請求項１７又は１８記載の表示手段は、請求項１４又は１５記載の方法で表示することを特徴とする。
【００２９】
このように構成すれば、印影情報が捺印された電子文書の他に、必要に応じて生体情報も表示することができる。
（２３）請求項２３記載の発明は、請求項１７又は１８記載の印刷手段は、請求項１６記載の方法で印刷することを特徴とする。
【００３０】
このように構成すれば、印影情報のみを印刷することができる。
（２４）請求項２４記載の発明は、請求項１８記載の捺印処理手段は、請求項８乃至１１記載の何れかの方法で電子文書に捺印することを特徴とする。
【００３１】
このように構成すれば、印影情報に加えて、生体情報又は日付情報を捺印したり、生体情報又は日付情報は必要に応じて捺印したりすることができる。
（２５）請求項２５記載の発明は、印影情報及び生体情報を登録する登録手段と、生体情報を読み込む生体情報読込手段と、捺印の承認許可者を判断する捺印許可手段と、電子文書に捺印する捺印処理手段と、承認文書を登録する登録手段と、電子承認文書を表示する表示手段と、全体の動作を制御する制御手段と、からなることを特徴とする。
【００３２】
このように構成すれば、捺印許可手段により、捺印しようとする者が適格者かを判断することができる。
（２６）請求項２６記載の発明は、印影情報及び生体情報を登録する登録手段と、生体情報を読み込む生体情報読込手段と、日付情報を読み込む日付情報読取手段と、捺印の承認許可者を判断する捺印許可手段と、電子文書に捺印する捺印処理手段と、承認文書を登録する登録手段と、電子承認文書を表示する表示手段と、全体の動作を制御する制御手段と、からなることを特徴とする。
【００３３】
このように構成すれば、日付情報を含む情報の捺印について、捺印許可手段により、許可された者がいつ承認したかを知ることができる。
【００３４】
【発明の実施の形態】
以下、図面を参照して本発明の実施の形態例を詳細に説明する。
【００３５】
先ず、図１に示す原理ブロック図について詳細に説明する。印影情報登録手段１は印影情報データベース２に印影情報を登録する。この印影情報の登録の方法は既存の技術を用いて行なう。この場合において、印影情報として印鑑イメージ又は自筆したサインを用いることができる。特に、自筆したサインは他人がまねができないので、セキュリティが確保される。
【００３６】
一方、生体情報読込手段３は、電子文書承認の直前に承認者の生体情報（例えば顔写真や指紋等）を読み込んで記憶する。また、捺印処理手段４は承認電子文書を作成する際に、電子文書の所定の箇所に印影情報データベース２から読み出した印影情報と、生体情報読込手段３から読み込んだ生体情報とを併せて捺印する。或いは、捺印するのは印影情報のみで、生体情報は表示手段７に表示するだけとすることができる。
【００３７】
登録手段５は、電子文書の所定の位置に少なくとも印影情報を捺印し、電子承認した電子文書を登録文書データベース６に登録する。本発明によれば、承認の直前に生体情報を読み込んでこの生体情報を表示或いは捺印するようになっているので、第三者のなりすましによる悪用を防止することができる。
【００３８】
このようにして登録された電子文書は、必要に応じて表示手段７に表示したり、或いは印刷手段８により印刷することができる。制御手段９は、このような一連の処理において、各構成要素の制御を行なう。本発明によれば、生体情報を読み込んだ後に、初めて捺印ができるようになり、セキュリティを高めることができる。
【００３９】
図２は本発明の動作説明図である。図において、２０は電子文書、２１は捺印である。この捺印２１の行ない方で（１）と（２）に分かれる。（１）は、構成要素Ａが、印影情報と生体情報であり、３１が印鑑イメージ、３２が生体情報としての写真である。印鑑イメージ３１と、写真３２とを重合せると、３３に示すように印影と写真とが重なった像になる。或いは３４に示すように、印影情報と写真とを別の場所に捺印するようにしてもよい。
【００４０】
これに対して（２）は印影情報と生体情報に加えて日付情報も捺印するようにしたものである。構成要素Ｂは、印影情報と生体情報と日付情報である。これを３つ重ね合わせると、３５に示す印影情報が得られる。３つをそれぞれ分離して捺印すると、３６に示すようになる。
【００４１】
このように、本発明によれば、印影情報と生体情報と日付情報を用いて電子承認を行なうため、誰がいつ承認したかが分かり、電子承認のセキュリティを高めることができる。また、印影情報と生体情報とを重ね合わせて電子文書に捺印することができる。また、印影情報と生体情報とを電子文書の別の箇所にそれぞれ捺印することができるので、唯一の捺印となり、かつ誰が承認したかが分かり、セキュリティを高めることができる。
【００４２】
また、印影情報と生体情報と日付情報を重ね合わせて捺印することができる。また、印影情報と生体情報と日付情報とを電子文書の別々の場所に捺印することができるので、セキュリティを高めることができる。
【００４３】
図３は本発明の第１の動作の一例を示すフローチャートである。装置としては、図１に示すものを用いる。操作者は、装置の操作手段１０を操作して電子文書を表示手段７に表示する（Ｓ１）。そして、マウスを操作して捺印箇所を指定する（Ｓ２）。次に、生体情報読込手段３は生体情報読込要求を行ない（Ｓ３）、生体情報の読込操作を行なう（Ｓ４）。読み込まれた生体情報は、生体情報記憶部３Ａに読み込まれる（Ｓ５）。
【００４４】
次に、捺印処理手段４は印影情報データベース２に記憶されている印影情報と、生体情報記憶部３Ａに記憶されている情報とを読み込んで捺印情報を作成する（Ｓ６）。このようにして作成された印影情報は、操作手段１０により指定された電子文書の箇所に捺印される（Ｓ７）。
【００４５】
このように、本発明によれば、生体情報を読み込まなければ捺印が行えないので、他人の印影を使うことができず、セキュリティを高めることができる。
【００４６】
図４は本発明による表示イメージの例を示す図である。図は、パソコンの表示部に電子文書２０が表示された例を示している。３１は捺印した印影情報、３２は生体情報表示部である。ここでは、生体情報として操作者の写真が用いられた例（生体情報としての写真）を示している。この生体情報は、捺印と同時に、又は画面の所定箇所をマウスで指定することにより表示される。このようにすれば、印影情報３１のみを捺印することができる。生体情報は、画面に表示されるだけである。或いは、電子文書２０の所定箇所をマウスで指定することにより、画面に生体情報を表示させることができる。
【００４７】
図５は本発明による印刷実行の説明図である。承認文書登録管理テーブル（登録文書データベース）６から電子文書を読み出し、この中から指定文書を操作手段１０により読み出す（Ｓ１）。次に、操作手段１０から印刷コマンドを投入すると、印刷手段８は捺印がされた電子文書２０をプリントする。
【００４８】
このようにすれば、印影情報のみを含む電子文書を印刷することができる。
【００４９】
図６は本発明の第２の動作の一例を示すフローチャートである。構成図としては、図１を用いる。先ず、操作手段１０を操作して電子文書を表示手段７に表示する（Ｓ１）。次に、マウスで捺印箇所を指定する（Ｓ２）。ここで、生体情報読込手段３は生体情報読込要求を行ない（Ｓ３）、生体情報読込操作を行なう（Ｓ４）。このようにして読み込まれた生体情報は、生体情報記憶部３Ａに記憶される（Ｓ５）。
【００５０】
次に、予め事前登録している印影情報データベース２から印影情報を読み出す（Ｓ６）。次に、カーソルを移動させて捺印箇所を指定すると、捺印処理手段４は所定箇所に捺印する（Ｓ７）。次に、捺印処理手段４は生体情報記憶部３Ａから生体情報を読み出す（Ｓ８）。そして、表示画面の一部に生体情報を表示する（Ｓ９）。次に、承認した電子文書は登録文書データベース６に、承認電子文書の登録を行なう（Ｓ１０）。
【００５１】
一方、登録文書を表示する場合、操作手段１０で見たい承認電子文書を登録文書データベース６から読み出す（Ｓ１１）。表示手段７には読み出された電子文書が表示される。次に、承認者を確認したい場合は、操作者はカーソルを捺印箇所に移動してクリックする（Ｓ１２）。この結果、登録文書データベース６から読み出された生体情報が表示手段７に表示される（Ｓ１３）。
【００５２】
このように、本発明によれば、印影情報が捺印された電子文書に生体情報も併せて表示されるので、誰が捺印したのかを認識することができる。また、印影情報が捺印された電子文書のみが表示され、生体情報は必要に応じて表示させることができる。
【００５３】
図７は本発明の第１の実施の形態例を示すブロック図である。図１と同一のものは、同一の符号を付して示す。図に示す実施の形態例は、印影情報、生体情報に加えて日付情報も捺印することができるようにしたものである。このため、日付／時計を表示する日付／時計部１１と、該日付／時計部１１から日付情報を読み出して日付情報を読み取る日付情報読取手段１２とが設けられている。そして、日付情報読取手段１２は捺印処理手段４と接続されている。その他の構成は、図１に示すものと同じである。
【００５４】
このように構成すれば、生体情報を読み込んだ後に、初めて印影情報と日付情報とを合わせた捺印ができるようになり、セキュリティを高めることができる。
【００５５】
図８は本発明の第３の動作の一例を示すフローチャートである。図において、２Ａは印影情報データベース２に記憶されている印影情報登録テーブルの構成を、６Ａは文書登録データベース６に記憶されている承認文書登録管理テーブルの構成をそれぞれ示す。印影情報登録テーブル２Ａは、図に示すようにＮＯと、ＩＤと、パスワードと、印影情報とから構成されている。例えば、ＮＯ４の印影情報は、ＩＤがＩＤ４であり、パスワードがＰＷ４であり、印影情報が印影情報４である。
【００５６】
一方、承認文書登録管理テーブル６Ａは、図に示すようにＮＯと、承認文書名と、ＩＤと、パスワードと、印影情報と、生体情報と、日付情報とから構成されている。例えば、ＮＯ２の承認文書の名前は文書２であり、ＩＤはＩＤ２であり、パスワードはＰＷ２であり、印影情報は印影２であり、生体情報は生体２であり、日付情報は日付２である。
【００５７】
印影イメージ作成と登録の場合、先ず、ＩＤとパスワードを入力する（Ｓ１）。次に印影イメージを作成する（Ｓ２）。次に、作成された印影イメージを印影情報登録テーブル２Ａに登録する（Ｓ３）。このようにして印影情報の登録が終了する。印影イメージの作成は、既存の技術を用いて作成する。
【００５８】
一方、電子文書の捺印と承認文書の登録の場合、先ずＩＤとパスワードを入力する（Ｓ４）。次に、操作者は操作手段１０を操作して電子文書を読み出す（Ｓ５）。そして、読み出された電子文書に対して捺印箇所をカーソルで指定する（Ｓ６）。次に、生体情報読込手段３で生体情報を読み込む（Ｓ７）。
【００５９】
更に、日付情報読取手段１２により日付を読み取る（Ｓ８）。次に、捺印処理手段４が、印影情報登録テーブル２Ａから印影情報を読み込み、次に生体情報読込手段３から生体情報を読み込み、また日付情報読取手段１２から日付情報を読み込み、承認情報の捺印を行なう（Ｓ９）。そして、印影情報と、生体情報と、日付情報は承認文書登録管理テーブル６Ａに登録される（Ｓ１０）。
【００６０】
このように、本発明によれば、生体情報を読み込んだ後に、初めて捺印ができるようになり、セキュリティを高めることができる。また、生体情報を読み込んだ後に、初めて印影情報と日付情報とを合わせた捺印ができるようになり、セキュリティを高めることができる。
【００６１】
図９は、本発明の第２の実施の形態例を示すブロック図である。図１と同一のものは、同一の符号を付して示す。図において、１３は印影情報と生体情報とを登録する印影情報・生体情報登録手段、２Ａは印影情報と生体情報とを格納する印影情報・生体情報データベースである。１４は捺印を許可するかどうか判定する捺印許可手段である。このように構成された装置の動作を説明すれば、以下の通りである。
【００６２】
印影情報・生体情報登録手段１３は印影情報・生体情報データベース２Ａに印影情報と生体情報とを登録する。この印影情報と生体情報の登録の方法は既存の技術を用いて行なう。この場合において、印影情報として印鑑イメージ又は自筆したサインを用いることができる。この種の印影情報を用いることにより、印鑑イメージ又は自筆したサインを用いることができる。特に、自筆したサインは他人がまねができないので、セキュリティが確保される。
【００６３】
一方、生体情報読込手段３は、電子文書承認の直前に所有者の生体情報（例えば顔写真や指紋等）を読み込んで記憶する。また、登録手段５は承認電子文書を作成する際に、捺印許可手段１４は操作者が捺印するのに適した人物であるかどうかを判断する。判断するに際しては、操作者のＩＤを操作手段１０から入力せさ、予め登録されている操作者ＩＤである場合は、捺印を許可する。
【００６４】
この場合、捺印処理手段４で電子文書の所定の箇所に印影情報・生体情報データベース２Ａから読み出した印影情報と、生体情報読込手段３から読み込んだ生体情報とを併せて捺印する。或いは、捺印するのは印影情報のみで、生体情報は表示手段７に表示するだけとすることができる。
【００６５】
捺印処理手段５は、電子文書の所定の位置に少なくとも印影情報を捺印し、電子承認した電子文書を登録文書データベース６に登録する。本発明によれば、承認の直前に生体情報を読み込んでこの生体情報を表示或いは捺印するようになっているので、第三者のなりすましによる悪用を防止することができる。
【００６６】
このようにして登録された電子文書は、必要に応じて表示手段７に表示したり、或いは印刷手段８により印刷することができる。制御手段９は、このような一連の処理において、各構成要素の制御を行なう。本発明によれば、生体情報を登録した後に、初めて捺印ができるようになり、セキュリティを高めることができる。
【００６７】
図１０は本発明の第３の実施の形態例を示すブロック図である。図７、図９と同一のものは、同一の符号を付して示す。この実施の形態例は、図９に示す構成に加えて、日付情報を捺印できるようにしたものである。即ち、日付情報読取手段１２は、日付／時計部１１から日付情報を読み込んで、日付も捺印できるように、捺印処理手段４に与える。この結果、印影情報、生体情報に加えて、日付情報も捺印することができる。なお、この場合において、実際に捺印されるのは印影情報だけとし、生体情報と日付情報は表示するだけとすることもできる。
【００６８】
図１１は本発明の第４の動作の一例を示すフローチャートである。先ず、操作手段１０を用いてＩＤとパスワードを入力する（Ｓ１）。そして、登録文書データベース６に記憶されている電子文書を読み出す（Ｓ２）。次に、表示された電子文書に対してカーソルを用いて捺印箇所を指定する（Ｓ３）。次に、生体情報読込手段３を用いて生体情報を読み込む（Ｓ４）。
【００６９】
一方、生体情報は予め生体情報データベース２Ａに記憶されているので、この記憶されている生体情報データベース２Ａから登録生体情報（Ａ）を読み出す（Ｓ５）。そして、この登録されている生体情報（Ａ）と、ステップＳ４で読み込んだ生体情報（Ｂ）とを比較する（Ｓ６）。そして、比較の結果、双方の生体情報が一致したかどうかチェックする（Ｓ７）。一致した場合には、承認の許可を与え、不一致の場合には不許可とする。
【００７０】
次に、捺印許可手段１４は捺印を許可するかどうかをチェックする（Ｓ８）。許可しない場合には、その旨を表示手段７に表示して（Ｓ９）、処理を終了する。ステップＳ８において、処理を許可する場合、日付情報読取手段１２で日付を読み取る（Ｓ１０）。そして、日付を使用しない場合も含めて捺印処理手段４により捺印処理を行なう（Ｓ１１）。捺印が終了した電子文書は、登録手段５により登録文書データベース６に登録する（Ｓ１２）。
【００７１】
本発明によれば、ディジタルカメラで生体情報を撮る場合において、生体情報読込手段３は、所定時間内にシャッタを押さないと生体情報が読み込めないようにすることができる。これにより、所定の条件下において、生体情報を読み込むことができる。
【００７２】
また、前記生体情報読込手段３は、ディジタルカメラでシャッタを右手と左手で所定時間内に押さないと生体情報が読み込めないようにすることができる。これにより、所定の条件下において、生体情報を読み込むことができる。
【００７３】
また、請求項１７記載の捺印処理手段は、請求項４乃至７の何れかの方法で電子文書に捺印することができる。これにより、印影情報と生体情報とを重ねて、或いは別々に或いは印影情報のみを捺印することができる。
【００７４】
また、請求項１７又は１８記載の表示手段は、請求項１４又は１５記載の方法で表示することができる。これにより、印影情報が捺印された電子文書の他に、必要に応じて生体情報も表示することができる。
【００７５】
また、請求項１７又は１８記載の印刷手段は、請求項１６記載の方法で印刷することができる。これにより、印影情報のみを印刷することができる。
【００７６】
また、請求項２４記載の発明は、請求項１８記載の捺印処理手段は、請求項８乃至１１記載の何れかの方法で電子文書に捺印することができる。これにより、印影情報に加えて、生体情報又は日付情報を捺印したり、生体情報又は日付情報は必要に応じた捺印したりすることができる。
【００７７】
以上、説明したように、本発明によれば、写真等の生体情報を読み込むことにより、初めて電子承認が行なえるので、その生体情報を確認すれば、誰が承認したのかが分かる。また、なりすましによる電子承認の犯罪に対しても、本発明では承認した人の生体情報が証拠として残るので犯罪捜査が容易になる。
【００７８】
また、本発明の仕組みを知っている人に対しては、電子承認により不正行為を未然に防ぐことができる。また、登録してある印影情報を盗まれて悪用されても、本発明では承認した人の写真が表示されるので、本当の承認者を知っている場合は無効であることを気づくことができる。
【００７９】
【発明の効果】
以上、詳細に説明したように、本発明によれば、以下の効果が得られる。
（１）請求項１記載の発明によれば、印影情報と生体情報とを用いて捺印承認を行なうので、誰が承認したかが分かり、電子承認のセキュリティを高めることができる。
（２）請求項２記載の発明によれば、印影情報と生体情報と日付情報とを用いて捺印承認を行なうため、誰がいつ承認したかが分かり、電子承認のセキュリティを高めることができる。
（３）請求項３記載の発明によれば、生体情報を読み込まなければ捺印が行えないので、他人の印影を使うことができず、セキュリティを高めることができる。
（４）請求項４記載の発明によれば、印影情報と生体情報とを重ね合わせて電子文書に捺印をすることができるので、唯一の捺印となり、かつ誰が承認したかが分かり、セキュリティを高めることができる。
（５）請求項５記載の発明によれば、印影情報と生体情報とを電子文書の別の箇所にそれぞれ捺印することができるので、セキュリティを高めることができる。
（６）請求項６記載の発明によれば、印影情報のみを捺印することができ、かつ誰が承認したかが分かる。
（７）請求項７記載の発明によれば、印影情報のみを捺印することができ、かつ誰が承認したかが分かる。
（８）請求項８記載の発明によれば、印影情報と生体情報と日付情報とを重ね合わせて捺印することができるため、誰がいつ捺印したかが分かる。
（９）請求項９記載の発明によれば、印影情報と生体情報と日付情報とを電子文書の別々の場所に捺印することができるため、誰がいつ捺印したかが分かる。
（１０）請求項１０記載の発明によれば、印影情報のみを捺印することができるので、誰がいつ捺印したかが分かる。
（１１）請求項１１記載の発明によれば、印影情報のみを捺印することができるので、誰がいつ捺印したかが分かる。
（１２）請求項１２記載の発明によれば、印影情報として印鑑イメージ又は自筆したサインを用いることができる。特に、自筆したサインは他人がまねできないので、セキュリティが確保される。
（１３）請求項１３記載の発明によれば、生体情報として画像又は指紋を用いることができる。
（１４）請求項１４記載の発明によれば、印影情報が捺印された電子文書に生体情報も併せて表示されるので、誰が捺印したかを認識することができる。
（１５）請求項１５記載の発明によれば、印影情報が捺印された電子文書のみが表示され、生体情報は必要に応じて表示させることができる。
（１６）請求項１６記載の発明によれば、印影情報のみを含む電子文書を印刷することができる。
（１７）請求項１７記載の発明によれば、生体情報を読み込んだ後に、初めて捺印ができるようになり、セキュリティを高めることができる。
（１８）請求項１８記載の発明によれば、生体情報を登録した後に、初めて印影情報と日付情報とを合わせた捺印ができるようになり、セキュリティを高めることができる。
（１９）請求項１９記載の発明によれば、所定の条件の下に生体情報を読み込むことができ、承認のなりすましを防止することができる。
（２０）請求項２０記載の発明によれば、所定の条件の下に生体情報を読み込むことができ、承認のなりすましを防止することができる。
（２１）請求項２１記載の発明によれば、印影情報と生体情報とを重ねて、或いは別々に或いは印影情報のみを捺印することができる。
（２２）請求項２２記載の発明によれば、印影情報が捺印された電子文書の他に、必要に応じて生体情報も表示することができる。
（２３）請求項２３記載の発明によれば、印影情報のみを印刷することができる。
（２４）請求項２４記載の発明によれば、印影情報に加えて、生体情報又は日付情報を捺印したり、生体情報又は日付情報は必要に応じた捺印したりすることができる。
（２５）請求項２５記載の発明によれば、捺印許可手段により、捺印しようとする者が適格者かを判断することができる。
（２６）請求項２６記載の発明によれば、日付情報を含む情報の捺印について、捺印許可手段により、許可された者がいつ承認したかを知ることができる。
【００８０】
このように、本発明によれば、誰が捺印したかが分かり、電子承認による不正行為を未然に防ぐことができる電子承認方法及び装置を提供することができる。
【図面の簡単な説明】
【図１】本発明の原理ブロック図である。
【図２】本発明の動作説明図である。
【図３】本発明の第１の動作の一例を示すフローチャートである。
【図４】本発明による表示イメージの例を示す図である。
【図５】本発明による印刷実行の説明図である。
【図６】本発明の第２の動作の一例を示すフローチャートである。
【図７】本発明の第１の実施の形態例を示すブロック図である。
【図８】本発明の第３の動作の一例を示すフローチャートである。
【図９】本発明の第２の実施の形態例を示すブロック図である。
【図１０】本発明の第３の実施の形態例を示すブロック図である。
【図１１】本発明の第４の動作の一例を示すフローチャートである。
【符号の説明】
１      陰影情報登録手段
２      陰影情報データベース
３      生体情報読込手段
４      捺印処理手段
５      登録手段
６      登録分子データベース
７      表示手段
８      印刷手段
９      制御手段
１０    操作手段
【図１】
2005062931.tif 000003
【図２】
2005062931.tif 000004
【図３】
2005062931.tif 000005
【図４】
2005062931.tif 000006
【図５】
2005062931.tif 000007
【図６】
2005062931.tif 000008
【図７】
2005062931.tif 000009
【図８】
2005062931.tif 000010
【図９】
2005062931.tif 000011
【図１０】
2005062931.tif 000012
【図１１】
2005062931.tif 000013